(57)【要約】【課題】集塵部の高さを低くしても集塵部に十分な塵埃を蓄積することができる電気掃除機を提供する。【解決手段】電動送風機１３を有した掃除機本体１２,１４と、この掃除機本体に設けられて電動送風機１３により空気と塵埃とを吸い込む本体吸込口２１と、この本体吸込口２１から吸い込まれた空気と塵埃を旋回流により分離するとともにこの分離された塵埃を集塵室Ｐに集塵し、下流側に電動送風機１３と連通する下部開口４１Ｂを有した集塵部と、この集塵部の下流側開口４１Ｂに設けられて吸い込まれた空気を濾過するプリーツフィルタ６０とを備え、本体吸込口２１から吸い込まれた空気が集塵室Ｐ内に流入する位置に吸込口４５を設けた電気掃除機において、吸込口４５から流入した空気を通過させない板部４４を、この空気が集塵室Ｐ内を旋回する方向に沿って、吸込口４５の近傍且つプリーツフィルタ６０の上流側に配置した。【選択図】図２
2008220659.tif 000002
【特許請求の範囲】
【請求項１】
電動送風機を有した掃除機本体と、この掃除機本体に設けられて前記電動送風機により空気と塵埃とを吸い込む本体吸込口と、この本体吸込口から吸い込まれた空気と塵埃を旋回流により分離するとともにこの分離された塵埃を集塵室に集塵し、下流側に前記電動送風機と連通する下流側開口を有した集塵部と、この集塵部の前記下流側開口に設けられて吸い込まれた空気を濾過する濾過フィルタとを備え、前記本体吸込口から吸い込まれた空気が前記集塵室内に流入する位置に吸込口を設けた電気掃除機において、
前記吸込口から流入した空気を通過させない非通気領域を、この空気が前記集塵室内を旋回する方向に沿って、前記吸込口の近傍且つ前記濾過フィルタの上流側に配置したことを特徴とする電気掃除機。
【発明の詳細な説明】
【技術分野】
【０００１】
この発明は、旋回流によって塵埃と空気とを分離する集塵部を備えた電気掃除機に関する。
【背景技術】
【０００２】
従来から、第１ケースと、この第１ケースの上に分離可能に載置された第２ケースと、第２ケース内に設けられた電動送風機と、第１ケース内に設けられた集塵室およびフィルタとを備えた電気掃除機が知られている（特許文献１参照）。
【０００３】
かかる電気掃除機は、ホース接続口である吸込口から集塵室へ吸い込まれた空気は渦流となり、この渦流により塵埃と空気が分離され、この分離された塵埃が集塵室に集塵され、空気はフィルタを通って電動送風機へ吸い込まれていく。
【特許文献１】特開２００３−２１９９９７号公報
【発明の開示】
【発明が解決しようとする課題】
【０００４】
しかしながら、このような電気掃除機にあっては、小型化を図るために集塵室の高さを低くした場合、吸込口から集塵室へ吸い込まれてきた空気がその高さが低いことによりフィルタに直ぐに吸い込まれてしまい、強い渦流を形成することができない。このため、集塵室に集塵される塵埃を十分に圧縮することができず、集塵室（集塵部）に塵埃を十分に蓄積することができないという問題があった。
【０００５】
この発明の目的は、集塵部の高さを低くしても集塵部に十分な塵埃を蓄積することができる電気掃除機を提供することにある。
【課題を解決するための手段】
【０００６】
この発明は、電動送風機を有した掃除機本体と、この掃除機本体に設けられて前記電動送風機により空気と塵埃とを吸い込む本体吸込口と、この本体吸込口から吸い込まれた空気と塵埃を旋回流により分離するとともにこの分離された塵埃を集塵室に集塵し、下流側に前記電動送風機と連通する下流側開口を有した集塵部と、この集塵部の前記下流側開口に設けられて吸い込まれた空気を濾過する濾過フィルタとを備え、前記本体吸込口から吸い込まれた空気が前記集塵室内に流入する位置に吸込口を設けた電気掃除機において、
前記吸込口から流入した空気を通過させない非通気領域を、この空気が前記集塵室内を旋回する方向に沿って、前記吸込口の近傍且つ前記濾過フィルタの上流側に配置したことを特徴とする。
【発明の効果】
【０００７】
この発明によれば、集塵部の高さを低くしても集塵部に十分な塵埃を蓄積することができる。
【発明を実施するための最良の形態】
【０００８】
以下、この発明に係る電気掃除機の実施の形態である実施例を図面に基づいて説明する。
【実施例】
【０００９】
図１および図２に示す電気掃除機１０は、円筒状の下ケース（第１ケース）１２と、電動送風機１３を内蔵するとともにその下ケース１２の上に分離可能に載置された円筒状の上ケース（第２ケース）１４とを備えている。下ケース１２と上ケース１４とで掃除機本体が構成されている。
【００１０】
下ケース１２の上部は開口されており、この開口１５内には集塵ケース３０が着脱自在に装着されている。下ケース１２の下端にはベース部１６が形成され、このベース部１６にはキャスターＫが取り付けられている。また、下ケース１２の下部は付属品を収納する収納部１２Ｂとなっている。
【００１１】
上ケース１４の下部にはフランジ２０が形成され、このフランジ２０が下ケース１２の開口１５の外周側を覆っている。フランジ２０にはホース接続口（本体吸込口）２１が形成されている。上ケース１４の上面には電源スイッチＳ１と切スイッチＳ２とが設けられている。Ｈは排気口である。
【００１２】
ホース接続口２１には集塵ホース２４の一端が着脱自在に接続され、集塵ホース２４の他端には延長管２５が着脱自在に接続されている。２６は延長管２５の先端に着脱自在に接続された吸込口体である。
【００１３】
集塵ケース３０は、図３および図４に示すように上部が開口した筒状に形成され、底壁３１の上面の外周側には周方向に沿って所定の長さの凹部３２が形成されている。集塵ケース３０の開口３３には、図５に示すようにネットフィルタ体４０が着脱自在に装着され、このネットフィルタ体４０にはプリーツフィルタ体６０（図３参照）が着脱自在に装着されている。
【００１４】
ネットフィルタ体４０は、図６に示すように、ネットフィルタ枠下４１とネットフィルタ５０とパッキン５１とネットフィルタ枠上５２等とから構成されている。
【００１５】
ネットフィルタ枠下４１は、所定の高さを有するとともに上部開口４１Ａと下部開口（下流側開口）４１Ｂとを有する筒状の枠体４２を有し、この枠体４２の下部開口４１Ｂにはリブ４３が形成されており、また下部開口４１Ｂの左側（図６において）には板部（非通気領域）４４がほぼ扇状に形成されている。この板部４４の一側部には吸込口４５を形成した吸込筒部４６が設けられている。すなわち、板部４４は吸込口４５近傍に設けられているとともに、吸込口４５から流れる空気の方向、すなわち旋回流の方向に沿って設けられている（図９参照）。また、板部４４は後述するプリーツフィルタ６３の上流側に配置される。
【００１６】
板部４４の裏面には、図８に示すように、吸込口４５を半分ほど覆うとともに開口４７ａが外側に且つ周方向に向いた半ドーム状のドーム壁４７が形成され、このドーム壁４７に連続して板部４４の他側部方向へ延びるガイド壁４８が形成されている。ドーム壁４７は、図２に示すように集塵ケース３０の凹部３２の上方に位置し、吸込口４５から後述する集塵室Ｐへ吸い込まれる空気に旋回流を発生させるものである。
【００１７】
ネットフィルタ枠上５２は、図６に示すように複数のリング枠５３,５４と、このリング枠５３,５４に一体に形成された複数の放射枠５５,５６と、この放射枠５５,５６に一体に形成されるとともにネットフィルタ枠下４１の板部４４に対向する板部５７と、この板部５７の他側部に設けられたホース接続筒５８とを有している。ホース接続筒５８は上ケース１４のホース接続口２１に対向し、このホース接続筒５８内にネットフィルタ枠下４１の吸込筒部４６が嵌入されるようになっている。
【００１８】
ネットフィルタ５０は、ネットフィルタ枠下４１の下面の開口の形状に合わせた形状に形成され、ネットフィルタ枠下４１のリブ４３や板部４４の端部に載置してネットフィルタ枠下４１内に取り付ける。
【００１９】
そして、パッキン５１をネットフィルタ枠下４１内に取り付け、この上からネットフィルタ枠上５２をネットフィルタ枠下４１内に挿入してネットフィルタ体４０を組み付ける。この際、ネットフィルタ枠下４１の吸込筒部４６をネットフィルタ枠上５２のホース接続筒５８内に嵌入させる。
【００２０】
すなわち、ネットフィルタ５０をパッキン５１を介してネットフィルタ枠下４１とネットフィルタ枠上５２とで挟み込んでネットフィルタ体４０を組み付けるものである。
【００２１】
プリーツフィルタ体６０は、図３および図７に示すように、長方形の開口６１を形成するとともに外径が円形のプリーツフィルタ枠６２と、この開口６１に取り付けられたプリーツフィルタ（濾過フィルタ）６３と、開口６１の長手方向に沿ってその中央部を横架したガイドレール６４と、このガイドレール６４に装着されるとともにこのガイドレール６４に沿って移動可能な除塵部材６５とを有している。除塵部材６５には、ガイドレール６４に沿って移動させた際にプリーツフィルタ６３に振動を与える突起部６５Ａが設けられている。
【００２２】
プリーツフィルタ枠６２の外側面には、ネットフィルタ枠上５２のホース接続筒５８が入り込む凹部６２Ａが形成されており、また、プリーツフィルタ枠６２の上面には開口６１の長手方向の両側に一対の凹部６６,６６が形成され、この一対の凹部６６,６６にはガイドレール６４の両端部が挿入されていてこのガイドレール６４がプリーツフィルタ枠６２に取り付けられている。また、開口６１には短手方向に支持部材６７が横架され、開口６１の下方からプリーツフィルタ６３が取り付けられる。支持部材６７は負圧時のプリーツフィルタ６３の変形を防止する。
【００２３】
そして、図３および図５に示すように、プリーツフィルタ枠６２の凹部６２Ａにネットフィルタ枠上５２のホース接続筒５８が入れられて、プリーツフィルタ体６０がネットフィルタ体４０のネットフィルタ枠下４１内に挿入され、このネットフィルタ体４０が集塵ケース３０の開口３３に着脱自在に装着される。そして、図２に示すように、ネットフィルタ枠下４１の下側となる集塵ケース３０の下部の空間（集塵室）Ｐと、この集塵室Ｐ内に配置されているドーム壁４７とで集塵部が構成され、この集塵部は下流側開口であるネットフィルタ枠下４１の下部開口４１Ｂを有している。
【００２４】
集塵部は、高さの低いほぼ扁平形状となっている。
［動  作］
次に、上記のように構成される電気掃除機の動作について説明する。
【００２５】
図１および図２に示すように、下ケース１２の上に上ケース１４を載置し、上ケース１４を下ケース１２にクランプＧにより固定する。また、上ケース１４のホース接続口２１に集塵ホース２４の一端を接続する。この接続により集塵ケース３０の集塵室Ｐと集塵ホース２４とが連通され、その集塵室Ｐが集塵ホース２４および延長管２５を介して吸込口体２６に連通される。また、下ケース１２の上に上ケース１４を載置すると電動送風機１３の吸込開口１３Ａがプリーツフィルタ６３およびネットフィルタ５０を介して集塵ケース３０の集塵室Ｐに連通する。
【００２６】
そして、電源スイッチＳ１をオンにすると電動送風機１３が駆動され、この電動送風機１３の駆動により、プリーツフィルタ６３（図７参照）およびネットフィルタ５０（図６参照）を介して集塵ケース３０の集塵室Ｐが負圧となる。この負圧が集塵ホース２４および延長管２５を介して吸込口体２６に作用し、この吸込口体２６から空気および塵埃が吸引されていき、この空気および塵埃は延長管２５および集塵ホース２４を通り、ネットフィルタ枠下４１の吸込口４５から集塵室Ｐへ吸引されていく。
【００２７】
この吸込口４５から集塵室Ｐへ吸い込まれていく空気は、図９および図１０に示すように、ドーム壁４７により旋回流とされて矢印Ｑ１方向へ流れていく。この旋回流により塵埃と空気が分離されていく。
【００２８】
また、矢印Ｑ１方向へ流れる空気は、ネットフィルタ枠下４１の板部４４があることにより、図１０の矢印Ｑ２で示すように上方へ吸引されていかない。
【００２９】
このため、強い風速の空気が集塵室Ｐの内周壁Ｐａに沿って流れていき、その強い風速の空気が分離された塵埃を集塵室Ｐの内周壁Ｐａに押し付けていく。このため、塵埃は圧縮されていき、集塵室Ｐに多くの塵埃を蓄積することができることになる。
【００３０】
また、矢印Ｑ１方向へ流れる空気は、ガイド壁４８によって集塵室Ｐの内周壁Ｐａ側へ案内されるのでより強く塵埃を圧縮することができ、より多くの塵埃を蓄積することができる。
【００３１】
矢印Ｑ１方向へ流れた空気は、矢印Ｑ３で示すようにネットフィルタ５０およびプリーツフィルタ６３を通って電動送風機１３に吸引されていき、この吸引された空気は電動送風機１３の排気孔１３aから排気され、上ケース１４の排気口Ｈから排気される。
【００３２】
集塵室Ｐに溜まった塵埃を捨てるには、先ずホース２４をフランジ２０のホース接続口２１から外すとともにクランプＧを外して上ケース１４を下ケース１２から取り外す。そして、除塵部材６５（図３参照）をガイドレール６４に沿って移動させ、これによりプリーツフィルタ６３に付着した塵埃を除塵する。この後、下ケース１２から集塵ケース３０を取り外し、この集塵ケース３０からプリーツフィルタ体６０を装着したネットフィルタ体４０を外す。そして、このネットフィルタ体４０と、集塵ケース３０の集塵室Ｐに蓄積された塵埃を捨てる。
【００３３】
なお、ネットフィルタ５０は、ネットフィルタ枠上５２と一体に構成してもよい。
【００３４】
上記実施例では、下ケース１２に集塵ケース３０を取り付け、上ケース１４に電動送風機１３を設けた電気掃除機１０について説明したが、下ケース１２に電動送風機を設け、上ケース１４に集塵ケース３０を取り付けてもよい。この場合、図１１に示すように集塵ケース３０を反転させ、この集塵ケース３０の底壁３１に吸込口４５とドーム壁４７とガイド壁４８とを設ける。
【図面の簡単な説明】
【００３５】
【図１】この発明に係る電機掃除機の外観を示した斜視図である。
【図２】図１に示す電気掃除機の構成を概略的に示した断面図である。
【図３】集塵ケースとネットフィルタ体とプリーツフィルタ体との外観を示した斜視図である。
【図４】集塵ケースとネットフィルタ体とプリーツフィルタ体との外観を異なる角度で示した斜視図である。
【図５】集塵ケースにネットフィルタ体とプリーツフィルタ体とを装着したものを示した断面図である。
【図６】ネットフィルタ体の構成を示した分解斜視図である。
【図７】プリーツフィルタ体の構成を示した分解斜視図である。
【図８】集塵ケースの裏面を上にした斜視図である。
【図９】旋回流を示すための説明図である。
【図１０】集塵ケース内の空気の流れを示した説明図である。
【図１１】別な例の集塵ケースを示した説明図である。
【符号の説明】
【００３６】
１３          電動送風機
４１Ｂ        下部開口（下流側開口）
４４          板部（非通気領域）
４５          吸込口
４７          ドーム壁
Ｐ          集塵室
６３          プリーツフィルタ（濾過フィルタ）
【図１】
2008220659.tif 000003
【図２】
2008220659.tif 000004
【図３】
2008220659.tif 000005
【図４】
2008220659.tif 000006
【図５】
2008220659.tif 000007
【図６】
2008220659.tif 000008
【図７】
2008220659.tif 000009
【図８】
2008220659.tif 000010
【図９】
2008220659.tif 000011
【図１０】
2008220659.tif 000012
【図１１】
2008220659.tif 000013